(57)【要約】【課題】  本発明は、異なる二つの開口部を選択的に閉塞可能な二開口部対応ドアユニットを提供することを課題とする。【解決手段】  交差する壁面のそれぞれに設けられた開口幅の異なる開口部を選択的に閉塞する二開口部対応ドアユニットにおいて、二開口部対応ドアユニットを、壁面の交差する箇所に設置される吊元枠と、吊元枠に回動可能に軸支される第一扉と、第一扉に回動可能に軸支される第二扉で構成し、第一扉の吊元側の軸支部を中心軸に第一扉が小開口部側と大開口部間で回動自在とするとともに、第一扉と第二扉が部分的に重合し小開口部を閉じる第一形態と、第一扉と第二扉が直線的な連設形態にて第一扉と第二扉が協働で大開口部を閉じる第二形態とに変形可能とし、第二扉に第二形態に変形可能な自閉装置を設け、第二扉の戸先と上部に設けたラッチにて扉の自閉を停止させる。【選択図】 図６
2019190012.tif 000002
【特許請求の範囲】
【請求項１】
交差する壁面のそれぞれに設けられた二つの開口部は、一方の壁面の開口部が大開口部であって、他方の壁面の開口部が大開口部の開口幅より狭い開口幅の小開口部であり、二開口部対応ドアユニットは、大開口部と小開口部を選択的に閉塞するものであって、壁面の交差する箇所に設置される吊元枠に加え、大開口部を形成する枠体と小開口部を形成する枠体を備え、吊元枠に回動可能に軸支される第一扉と、第一扉に回動可能に軸支される第二扉で構成することにより、該第一扉の吊元側の軸支部を中心軸に第一扉が小開口部側と大開口部間で回動自在とされるとともに、第一扉と第二扉が部分的に重合し小開口部を閉じる第一形態と、第一扉と第二扉が直線的な連設形態にて第一扉と第二扉が協働で大開口部を閉じる第二形態とに変形可能とされ、小開口部を閉塞する第一形態における第二扉の吊元側戸先を、吊元枠から第二形態における戸先側に移動させる自閉機構を備えるとともに、第二扉に、第一形態において、少なくとも戸先側と、上方、あるいは下方側、もしくは上下両方側へ突出し被係合部と係合するラッチを備え、該ラッチにて、第二扉の自閉を停止させていることを特徴とする二開口部対応ドアユニット。
【請求項２】
操作具の回動操作により、ラッチの被係合部との係合が解除され、第一形態から第二形態への変形動作と第二形態から第一形態への変形動作を該操作具の操作のみで可能としたことを特徴とする請求項１に記載の二開口部対応ドアユニット。
【請求項３】
第二扉が第一扉に軸支される箇所は、第二扉の戸先側と戸尻側間で、かつ、小開口部を閉じた状態の第一形態で、小開口部の出入り方向における大開口部側と反対側に第一扉が位置するとともに、小開口部における大開口部側に第二扉が位置し、第一扉と第二扉が部分的に重合するように設定され、さらに、第二扉は、小開口部の開口幅より幅広に設定されるとともに、第二形態における第二扉の戸先側の上部で、大開口部を形成する上枠ユニットに、大開口部の開口幅方向にスライド移動可能に軸支され、第二扉の大開口部を閉じた状態で戸尻側に位置する戸先側ラッチと、第一扉の戸先側端面に設けられた扉ラッチ受とが第二形態で係合することを特徴とする請求項１、あるいは、請求項２に記載の二開口部対応ドアユニット。
【発明の詳細な説明】
【技術分野】
【０００１】
本発明は、主に病室や療養施設の居室内、特にトイレ、洗面所部分に設置され、二つの開口部のうち、何れか一方の開口部を選択的に閉塞する二開口部対応ドアユニットに関するものである。
【背景技術】
【０００２】
トイレ部分と洗面所部分が一体となった洗面空間に設置され、洗面空間の出入口の開口部と、洗面所部分とトイレ部分を分断する開口部の２つの開口部を、選択的に閉塞し、居室空間を有効に利用可能とするドアが古くから知られている。しかしながら、選択的に閉塞される２つの開口部は同じ幅の開口部に限られていた。
【先行技術文献】
【特許文献】
【０００３】
【特許文献１】実開昭５６−１６７６１公報
【発明の概要】
【発明が解決しようとする課題】
【０００４】
本発明は、従来の問題点に鑑みて、異なる開口幅の二つの開口部を選択的に閉塞可能な二開口部対応ドアユニットを提供することを課題とする。
【課題を解決するための手段】
【０００５】
そこで、上記課題を解決する為、本発明が第１の手段として構成したところは、交差する壁面のそれぞれに設けられた二つの開口部は、一方の壁面の開口部が大開口部であって、他方の壁面の開口部が大開口部の開口幅より狭い開口幅の小開口部であり、二開口部対応ドアユニットは、大開口部と小開口部を選択的に閉塞するものであって、壁面の交差する箇所に設置される吊元枠に加え、大開口部を形成する枠体と小開口部を形成する枠体を備え、吊元枠に回動可能に軸支される第一扉と、第一扉に回動可能に軸支される第二扉で構成することにより、該第一扉の吊元側の軸支部を中心軸に第一扉が小開口部側と大開口部間で回動自在とされるとともに、第一扉と第二扉が部分的に重合し小開口部を閉じる第一形態と、第一扉と第二扉が直線的な連設形態にて第一扉と第二扉が協働で大開口部を閉じる第二形態とに変形可能とされ、小開口部を閉塞する第一形態における第二扉の吊元側戸先を、吊元枠から第二形態における戸先側に移動させる自閉機構を備えるとともに、第二扉に、第一形態において、少なくとも戸先側と、上方、あるいは下方側、もしくは上下両方側へ突出し被係合部と係合するラッチを備え、該ラッチにて、第二扉の自閉を停止させているものである。
【０００６】
そこで、上記課題を解決する為、本発明が第２の手段として構成したところは、上記第１の手段に加え、操作具の回動操作により、ラッチの被係合部との係合が解除され、第一形態から第二形態への変形動作と第二形態から第一形態への変形動作を該操作具の操作のみで可能としたものである。
【０００７】
そこで、上記課題を解決する為、本発明が第３の手段として構成したところは、上記第１の手段、あるいは、第２の手段に加え、第二扉が第一扉に軸支される箇所は、第二扉の戸先側と戸尻側間で、かつ、小開口部を閉じた状態の第一形態で、小開口部の出入り方向における大開口部側と反対側に第一扉が位置するとともに、小開口部における大開口部側に第二扉が位置し、第一扉と第二扉が部分的に重合するように設定され、さらに、第二扉は、小開口部の開口幅より幅広に設定されるとともに、第二形態における第二扉の戸先側の上部で、大開口部を形成する上枠ユニットに、大開口部の開口幅方向にスライド移動可能に軸支され、第二扉の大開口部を閉じた状態で戸尻側に位置する戸先側ラッチと、第一扉の戸先側端面に設けられた扉ラッチ受とが第二形態で係合するものである。
【発明の効果】
【０００８】
請求項１に記載の発明によると、二開口部対応ドアユニットは、枠体によって大開口部と小開口部を形成できる。そして、第一扉が回動自在とされているため、該回動によって、交差する壁面のそれぞれに設けられた二つの開口部に対応可能となり、第二扉が、第一扉に回動自在に軸支されているため、第一扉と第二扉が直線的に並び協働で大開口部を閉じることができだけでなく、第一扉と第二扉が部分的に重合することにより小開口部を閉じることができるので、開口幅の異なる二つの開口部を選択的に閉じることが可能となる。
第二扉の戸先側が吊元枠から第二形態における戸先側に移動すると、第二扉は、第一形態から第二形態に変形するが、第一形態における第二扉の戸先側を、吊元枠から、第二形態における戸先側に移動させる自閉機構を備えるから、操作が容易となる。
また、第一形態では、自閉装置によって、第二扉は第二形態側に移動しようとしているが、第二扉の第一形態における戸先側と、上方、あるいは下方側、もしくは上下両方側へ突出し、被係合部と係合するラッチを備え、該ラッチにて、第二扉の自閉を停止させているから、第二扉を第一形態でしっかりと固定することができる。
【０００９】
請求項２に記載の発明によると、前記効果に加え、操作具のみの操作で、ラッチの係合解除と第一形態から第二形態への変形動作と第二形態から第一形態への変形動作が可能であるから、扉の開閉操作が容易であり、また、部品点数を少なくすることができる。
【００１０】
請求項３に記載の発明によると、前記効果に加え、第二扉は、小開口部の開口幅より幅広に設定され、第一形態において、第一扉より大開口部側に位置しているので、第一形態において、第一扉が第二扉の影に隠れたように小開口部の出入り方向における大開口部側に第二扉一枚が露呈している状態であるから、第一形態で第二扉を凹凸の少ない壁面のように使用することができる。また、第二形態で第二扉のラッチと第一扉のラッチ受けが係合するので、第一扉と第二扉の直線的な連設形態が維持できる。そして、第一形態で第二扉のラッチと小開口部の戸先側に設けられたラッチ受けが係合するので、第二扉で小開口部を閉じた状態を維持できる。さらに、一つのラッチで、第一形態と第二形態のそれぞれで、開口部を閉鎖した状態を維持できるので部品コストの低減は図れるだけでなく、第一形態でのラッチ解除と、第二形態でのラッチ解除が同じ操作具の操作により可能なので扉の開閉操作が容易である。
【図面の簡単な説明】
【００１１】
【図１】二開口部対応ドアユニットの使用状態での第一形態を示す平面図
【図２】二開口部対応ドアユニットの使用状態での第二形態を示す平面図
【図３】二開口部対応ドアユニットの扉の開閉軌跡を示す平面図
【図４】二開口部対応ドアユニットの第一形態での要部の水平断面図
【図５】二開口部対応ドアユニットの第二形態での要部の水平断面図
【図６】第一形態の二開口部対応ドアユニットのトイレ側からの立面図
【図７】第二形態の二開口部対応ドアユニットの居室側からの立面図
【図８】第二形態の二開口部対応ドアユニットの洗面側からの鉛直断面図
【図９】二開口部対応ドアユニットの第二形態での要部の鉛直断面図
【図１０】図８のＡ部の拡大図
【図１１】自閉装置の自閉ワイヤーと吊り支持部材の軌跡を示す概略図
【図１２】第二扉の構成説明図
【発明を実施するための最良の形態】
【００１２】
交差する壁面のそれぞれに設けられた二つの開口部の一方の壁面の開口部が大開口部であって、他方の壁面の開口部が大開口部の開口幅より狭い開口幅の小開口部である二つの開口部を選択的に閉塞する二開口部対応ドアユニットにおいて、二開口部対応ドアユニットは、壁面の交差する箇所に設置される吊元枠に加え、大開口部を形成する枠体と小開口部を形成する枠体を備えるとともに、吊元枠と、吊元枠に回動可能に軸支される第一扉と、第一扉に回動可能に軸支される第二扉で構成し、該第一扉の吊元側の軸支部を中心軸に第一扉を小開口部と大開口部間で回動自在とし、第一扉と第二扉が部分的に重合し小開口部を閉じる第一形態と、第一扉と第二扉が直線的な連設形態にて第一扉と第二扉が協働で大開口部を閉じる第二形態とに変形可能とし、第二扉が第一扉に軸支される箇所を、第二扉の戸先側と戸尻側間で、かつ、第一形態で、小開口部の出入り方向における大開口部側と反対側に第一扉が位置するとともに、小開口部における大開口部側に第二扉が位置し、第一扉と第二扉が部分的に重合するように設定し、さらに、第二扉を、小開口部の開口幅より幅広に設定し、第二形態における第二扉の戸先側の上部で、大開口部を形成する上枠ユニットに、大開口部の開口幅方向に移動可能に、かつ、垂直回転軸を軸芯に回動可能に軸支し、該垂直回転軸部を戸先側に移動させる自閉装置を設置し、第一形態において、戸先側と、上方に突出し、被係合部と係合するラッチを配設し、該ラッチにて、第二扉の自閉を停止させ、第二扉の大開口部を閉じた状態で戸尻側に位置する戸先側ラッチと、第一扉の戸先側端面に設けられた扉ラッチ受とが第二形態で係合し、第二扉に設けられた操作具の回動操作により、ラッチの被係合部との係合が解除され、第一形態から第二形態への変形動作と第二形態から第一形態への変形動作を該操作具の操作のみで可能とする。
【実施例】
【００１３】
以下、本発明の実施例を添付図面に基づいて詳述する。
図1は、本発明の二開口部対応ドアユニットの使用状態での第一形態を示す平面図を示し、符号１００は、部屋の空間を仕切る第一壁面を示し、符号１０１は、第一壁面１００に設けられた小開口部を示し、符号２００は、部屋の空間を仕切る第二壁面を示し、符号２０１は、第二壁面２００に設けられた大開口部を示し、実施例においては、第二壁面２００に第一壁面１００が交差し、第二壁面２００と第一壁面１００でＴ字状の壁面を形成している。
便宜的に、小開口部１０１の出入り方向の大開口部側を洗面側、その対向側をトイレ側、そして、大開口部２０１の出入り方向の小開口部側を前記と同じく洗面側、その対向側を居室側と云う。
【００１４】
符号１は、第一壁面１００と第二壁面２００に交差部に立設される吊元枠を示し、符号２は、吊元枠１と離間して第一壁面１００に立設される小開口戸先枠を示し、符号３は、吊元枠１と小開口戸先枠２の上部を繋ぐ、小開口上枠を示し、吊元枠１と小開口戸先枠２と小開口上枠３が門型に組まれることにより、前記小開口部１０１が形成される。
そして、符号４は、前記吊元枠１と離間して第二壁面２００に立設される大開口戸先枠を示し、符号５は、吊元枠１と大開口戸先枠４の上部を繋ぐ、上枠ユニットを示し、吊元枠１と大開口戸先枠４と上枠ユニット５が門型に組まれることにより、前記大開口部２０１が形成される。
このように、吊元枠１は、小開口部１０１、大開口部２０１のそれぞれの開口枠を形成するものとして兼用される。
【００１５】
以下、吊元枠１側を戸尻側と云い、小開口戸先枠２、大開口戸先枠４側を戸先側と云う。
吊元枠１は、図４、５に示すように平面視において、吊元枠１の全体幅が居室側に広く、洗面側が狭くなるように、段付き状に形成されている。
詳述すると、吊元枠１は、平面視において、居室側におけるトイレ側面を形成する居室側見切り面１ａと、居室側見切り面１ａの居室側端から大開口部側に屈曲し居室側面を形成する居室側化粧面１ｂと、居室側化粧面１ｂの大開口部側端から洗面側に屈曲し大開口部の内面を形成する大開口吊元化粧面１ｃと、大開口吊元化粧面１ｃの洗面側端からトイレ側に段付き状に屈曲し吊元ヒンジ面を形成する吊元面１ｄと、吊元面１ｄのトイレ側端から小開口部側に屈曲し大開口部を形成する吊元化粧面１ｅと、吊元化粧面１ｅの小開口部側端からトイレ側に屈曲し小開口部の内面を形成する小開口吊元化粧面１ｆと、小開口吊元化粧面１ｆのトイレ側端から居室側に屈曲しトイレ側面を形成するトイレ側見切り面１ｇで形成されている吊元枠材１０と、吊元枠材１０の居室側見切り面１ａとトイレ側見切り面１ｇを連結する吊元補強片１１と、吊元枠材１０の大開口吊元化粧面１ｃと吊元補強片１１と吊元化粧面１ｅとを連結する吊元枠補強１２と、吊元枠材１０の吊元面１ｄに部分的に取り付けられている螺孔を有するヒンジ座１３で構成され、第二壁面内に設置されている補強枠２００ａと吊元補強片１１が鉄筋などを介して溶接あるいはネジ止めされることにより吊元枠１は固定される。
【００１６】
小開口戸先枠２は、平面視において、図４に示すように、洗面側でコ字状に形成される洗面側化粧突部２ａと、洗面側化粧突部２ａに対向してコ字状に形成されるトイレ側化粧突部２ｂと、洗面側化粧突部２ａとトイレ側化粧突部２ｂを小開口部１０１の内面側で連結する小開口戸先化粧面２ｃで形成され、横断面扁平形状の小開口部戸先基枠２１と、小小開口戸先化粧面２ｃの対向側で、洗面側化粧突部２ａとトイレ側化粧突部２ｂを連結する小開口戸先側補強片２２と、小開口戸先化粧面２ｃのトイレ側で、吊元枠１方向に突出するパネル状の袖枠２３で構成され、第一壁面内に設置されている補強枠１００ａと小開口戸先側補強片２２が鉄筋などを介して溶接されることにより小開口戸先枠２は固定される。また、パネル状の袖枠２３の吊元枠１側の端面には、後述する水平ラッチ７４ａと係合する凹状の枠ラッチ受２４が設けられ被係合部が形成されている。
【００１７】
小開口上枠３は、側面視において、図１０に示すように、洗面側でコ字状に形成される洗面側上部化粧突部３ａと、洗面側上部化粧突部３ａに対向して洗面側上部化粧突部３ａより高いコ字状に形成されるトイレ側上部化粧突部３ｂと、洗面側上部化粧突部３ａとトイレ側上部化粧突部３ｂを小開口部１０１の内面側で連結する段付き形状の小開口上化粧面で形成される小開口上化粧面３ｃと、小開口上化粧面３ｃの対向側で、洗面側上部化粧突部３ａとトイレ側上部化粧突部３ｂを連結する上側補強片３２で構成され、第一壁面内に設置されている補強枠１００ａと上側補強片３２が鉄筋などを介して溶接あるいはネジ止めされることにより小開口上枠３は固定される。また、小開口上化粧面３ｃには、後述する垂直ラッチ７４ｂと係合する凹状の垂直ラッチ受３３が設けられ被係合部が形成されている。
【００１８】
大開口戸先枠４は、平面視において、図５に示すように、洗面側でコ字状に形成される洗面側化粧突部４ａと、洗面側化粧突部４ａに対向して洗面側化粧突部４ａより幅広のコ字状に形成される居室側化粧突部４ｂと、洗面側化粧突部４ａと居室側化粧突部４ｂを大開口部２０１の内面側で連結する大開口戸先化粧面４ｃで形成される大開口部戸先基枠４１と、大開口戸先化粧面４ｃの対向側で、洗面側化粧突部４ａと居室側化粧突部４ｂを連結する大開口戸先側補強片４２で構成され、第二壁面内に設置されている補強枠２００ａと大開口戸先側補強片４２が鉄筋などを介して溶接あるいはネジ止めされることにより大開口戸先枠４は固定される。
【００１９】
上枠ユニット５は、図９で示すように大開口上枠基枠５０と洗面側固定ランマ５１と、支持レール体５３で構成されている。
大開口上枠基枠５０は、水平視縦断面略下向きコ字型に形成され、大開口戸先枠４と吊元枠１間に納まる長さとされ、居室側に点検パネル５００の上部を挟持する挟持片５０ａが溶接固定されるものであって、上枠ユニット５の戸先側と戸尻側がそれぞれ、大開口戸先枠４と吊元枠１にネジにて固定されるとともに、大開口上枠基枠５０の上面と第二壁面内に設置されている補強枠２００ａに鉄筋などを介して溶接あるいはネジ止めされることにより大開口上枠基枠５０は固定される。
【００２０】
洗面側固定ランマ５１は、図９で示すように取り付け状態で大開口部２０１の洗面側の上方に配設される表面板５１ａと、表面板５１ａの上部に形成された、大開口上枠基枠５０に下方から挿入する上部支持突片５１ｂと、表面板５１ａの下部に形成された大開口部２０１の内面を形成する下化粧部５１ｃと、表面板５１ａの戸先側端部と戸先側が居室側に屈曲し形成された固定片５１ｄ、５１ｄで形成されている。
そして、洗面側固定ランマ５１は、固定片５１ｄ、５１ｄ部で、吊元枠１の小開口吊元化粧面１ｆ、大開口戸先枠４の大開口戸先化粧面４ｃにネジにて固定され設置される。
【００２１】
支持レール体５３は、図９で示すように洗面側レール部材５３１と居室側レール部材５３２で構成されている。
洗面側レール部材５３１は、側面視で居室側が開口する断面コ字状の洗面側走行部５３１ａを有し、洗面側固定ランマ５１の左右幅と同じ長さに形成される。
居室側レール部材５３２は、洗面側レール部材５３１と対向して、側面視で洗面側が開口する断面コ字状の居室側走行部５３２ａを有し、同じく、洗面側固定ランマ５１の左右幅と同じ長さに形成される。
そして、洗面側レール部材５３１と居室側レール部材５３２は、対向して、かつ、間隔を空けた状態で吊元枠１、大開口戸先枠４の間にネジにて水平に着脱自在に固定され設置される。
【００２２】
点検パネル５００は、大開口部２０１の居室側の上方全幅に渡って着脱自在に取り付けられる横長パネル状を成し、大開口上枠基枠５０の居室側面部で、大開口上枠基枠５０と挟持片５０ａ間に、下方から差し込まれる上部支持突片５０１が上端部に形成され、大開口戸先枠４と吊元枠１に設けられた、螺孔を有する点検パネル取付用突片（図示せず。）に居室側から取り付けネジにて着脱自在に取り付けられている。
【００２３】
第一扉６は、主に縦長長方形で内部に中空部を持ち、該中空部にペーパーコアを内包したパネル状の開口閉塞体６１と、水平方向に伸びる支持アーム６２、６２、６２を上下方向に所定の間隔に有して配置する支持アーム体６２１と、支持アーム体６２１を覆う、点検側化粧パネル６２２、固定側化粧パネル６２３で構成される。
【００２４】
支持アーム体６２１は、三本の支持アーム６２、６２、６２と、それぞれの支持アーム６２の左右の両端側それぞれにネジ止めされる中間蝶番６３ａ、吊元蝶番６３ｂと、支持アーム６２、６２、６２を縦方向に連結するフラットバー状の縦支持杆６４、６４で構成され、三本の支持アーム６２、６２、６２を上下方向に所定の間隔に有して配置し、支持アーム６２、６２、６２のそれぞれの戸先側と戸尻側が縦支持杆６４、６４によって連結される。
このように組み立てられた支持アーム体６２１は、図７に示すように開口閉塞体６１の上部、中間部、下部それぞれに設けられた複数の螺孔６１ａ・・・を使って支持アーム体６２１の支持アーム６２、６２、６２がネジ止めされる。支持アーム６２には、該螺孔６１ａに対応して、貫通孔６２ａが設けられている。尚、貫通孔６２ａはキャップなどによって適宜閉塞される。また、開口閉塞体６１の戸先側端面には、後述する第二扉７のラッチ７４に対応して凹状の扉ラッチ受６１ｂが設置され被係合部が形成される。
【００２５】
そして、板状で四辺が折り曲げられた点検側化粧パネル６２２が支持アーム体６２１にねじ止めされ、大開口部を閉じた状態における居室側を覆い、板状の固定側化粧パネル６２３で、支持アーム体６２１の開口閉塞体６１の戸先側から前方に突出した部分の大開口部を閉じた状態における洗面側を覆い支持アーム体６２１にねじ止めされ、このようにして第一扉６は組み立てられる。
尚、中間の支持アーム６２は、支持アーム体６２１のねじれを防止するとともに、扉の開閉途中に支持アーム体６２１部分に人が入らないようにするためのものでありから、支持アーム体６２１を覆う、居室側化粧パネル６２２、洗面側化粧パネル６２３は、開口閉塞体６１と同様に、支持アーム体６２１と同機能のフレーム材を１対のパネル体でサンドイッチし内部に中空部を持たせ、該中空部にペーパーコアを内包したパネル状に構成してもよい。
【００２６】
第二扉７は、図１２で示すように、主に四方枠７１と、四方枠の７１の内空部に配置されるペーパーコア７２と、四方枠７１を両面から挟む板状のドアパネル体７３、７３で構成される。
四方枠７１は、大開口部２０１での戸先側（図１２における左側）となる戸先縦枠７１１と、大開口部２０１での戸尻側となる戸尻縦枠７１２と、戸先縦枠７１１と戸尻縦枠７１２の上部を連結する上横枠７１３と、戸先縦枠７１１と戸尻縦枠７１２の下部を連結する下横枠７１４と、四方枠７１の戸先、戸尻方向の間で、上横枠７１３と下横枠７１４を連結する蝶番固定用螺孔７１６ａを有する蝶番補強枠７１６で構成される。
蝶番固定用螺孔７１６ａは、第二扉７の大開口部２０１を閉じた状態での居室側面に設けられたており、ドアパネル体７３にも蝶番固定用螺孔７１６ａに対応して貫通孔が設けられている。
【００２７】
第二扉の大開口部を閉じた状態での戸尻側端面に進退可能な水平ラッチ７４ａが設置され、第二扉の上面には進退可能な垂直ラッチ７４ｂが設置され、蝶番補強枠７１６の近傍で蝶番固定用螺孔７１６ａの対向する位置に操作具７５が配置できるように、操作具７５の動作をラッチに伝達する本体７５ａが取り付けられ、水平ラッチ７４ａと垂直ラッチ７４ｂが作動杆７５ｂ、７５ｂによって本体７５ａと連結されている。
そして、トイレ側のドアパネル体７３には、本体７５ａの着脱やメンテナンスを行う点検口７３ａが設けられ、点検口７３ａを覆う点検カバー７６がキャッチにより着脱自在に設けられる。
【００２８】
第二扉の洗面側から操作具７５が、本体７５ａに回動可能に設置され、戸先側端面に衝撃緩衝用の戸当り材７７が取り付けられている。
本実施例においては、第二扉の下面にラッチを設けていないが、ラッチ７４ｂと対向するように第二扉の下面にラッチを設けてもよい。
下面のラッチに対応するラッチ受けは床面に取り付けられることが多く、ゴミ、塵などが入りやすいので、極力使用しないほうが望ましい。しかしながら、設置場所の環境により、強固に扉の固定が必要な場合は、下面にもラッチを設置すればよい。
【００２９】
そして第二扉の大開口部２０１での戸先側となる上部に、図９で示すように、主に支持体８１と、合成樹脂製ブッシュ８４とスライダー８３で構成される吊り支持部材８が取り付けられる。
支持体８１は、主に鉛直方向に伸びる円柱状の支持部８１ａと、支持部８１ａの下端で対向して水平方向に延伸する取り付け座８１ｂと、支持部８１ａの上部に連接し、支持部８１ａより細い径の同じく円柱状の回転軸８２ｃと、回転軸８２ｃの上部に連接する螺軸部８１ｄで形成されている。
【００３０】
スライダー８３は、ローラー座８３１と、ローラー座８３１に垂直向きの回転軸周りで回転可能に取り付けられている振れ止めローラー８３２・・・と、同じくローラー座８３１に水平向きの回転軸周りで回転可能に取り付けられている荷受ローラー８３３、８３３で構成されている。
【００３１】
ローラー座８３１は、鋼板製であって、長方形平板状の基材８３１ａと、基材８３１ａの長辺側の両端部の中央部が上方に垂直に立ち上がる支持辺８３１ｂ、８３１ｂによって形成され、基材８３１ａの中心には、支持体８１の回転軸８２ｃの直径より大きく設定された回転軸孔８３１ｃが設けられ、基材８３１ａの四隅近傍には垂直方向に振れ止めローラー取付螺孔が設けられており、支持辺８３１ｂ、８３１ｂには、水平方向に荷受ローラー取付螺孔が設けられている。
【００３２】
そして、ローラー座８３１の振れ止めローラー取付螺孔８３１ｄ・・・に振れ止めローラー８３２・・・が取り付けられ、荷受ローラー取付螺孔８３１ｅ、８３１ｅに荷受ローラー８３３、８３３が取り付けられる。
【００３３】
吊り支持部材８の組み立て方法を説明する。
ローラー座８３１の回転軸孔８３１ｃを、支持体８１の回転軸８２ｃに差し込む。
次に回転軸孔８３１ｃにリング状の合成樹脂製ブッシュ８４を差し込む。
そして、支持体８１の螺軸部８１ｄに平座金を入れ、螺軸部８１ｄに六角ナット８ａを螺着させ、ローラー座８３１は、支持体８１に取り付けられる。
回転軸８２ｃは、ローラー座８３１の回転軸孔８３１ｃ部の厚みより高く設定されているので、六角ナット８ａを完全に締めこんでもローラー座８３１は、支持体８１の回転軸８２ｃ周りで回転可能である。また、回転軸孔８３１ｃは回転軸８２ｃの直径より大きく設定されている、より正確には、合成樹脂製ブッシュ８４の直径より大きく設定されているので、ローラー座８３１は、支持体８１に対して水平方向にも移動可能に取り付けられている。
【００３４】
自閉装置９は、公知技術のぜんまい方式のもので、主に巻きばねが内蔵された自閉装置本体９ａと、該巻きばねに連結される自閉ワイヤー９ｂで構成され、通常、自閉ワイヤー９ｂは、自閉装置本体９ａ内部に巻き取られており。自閉ワイヤー９ｂを引っ張ると、自閉ワイヤー９ｂが巻きばねの付勢力に抗して引き出され、自閉ワイヤー９ｂを離すと、巻きばねの付勢力によって、自閉ワイヤー９ｂが自閉装置本体９ａ内部に巻き取られるものである。
【００３５】
次に各部材がこのように構成された二開口部対応ドアユニットの組み立て方法について説明する。
前述のように、第一壁面１００の開口部に設置された吊元枠１と小開口戸先枠２と小開口上枠３の枠体で小開口部１０１が形成され、第二壁面２００の開口部に設置された吊元枠１と大開口戸先枠４と上枠ユニット５の枠体で大開口部２０１が形成される。
【００３６】
次に第一扉６の支持アーム体６２１の戸先側の中間蝶番６３ａ、６３ａ、６３ａを、第二扉７の蝶番固定用螺孔７１６ａにネジ止めする。この状態で、第一扉６と第二扉７は、戸先側の中間蝶番６３ａの回転軸を軸として回動可能となる。尚、該ネジ止め部は、カバー材６５で覆うなどして適宜化粧を行う。
【００３７】
このように組み立てられた第一扉６と第二扉７を、前述の壁面に組みつけられた枠部材に取り付ける方法を説明する。
第一扉６の支持アーム体６２１の戸尻側の吊元蝶番６３ｂ、６３ｂ、６３をｂ、吊元枠１の吊元面１ｄにネジ止めする。この時、吊元面１ｄには、螺孔を有するヒンジ座１３が取り付けられているから、吊元蝶番６３ｂ、６３ｂ、６３は、該螺孔を利用して固定される。
この状態で、第一扉６は、戸尻側の吊元蝶番６３ｂの回転軸を軸として回動可能となる。
【００３８】
次に、第二扉７の上横枠７１３の戸先側の上部に、吊り支持部材８の取り付け座８１ｂ部をネジ止めし、吊り支持部材８を取り付ける。
そして、上枠ユニット５の居室側レール部材５３２を、ネジを緩めて一旦取り外し、吊り支持部材８のスライダー８３の洗面側固定ランマ５１側の荷受ローラー８３３を、上枠ユニット５の洗面側走行部５３１ａに挿入し、洗面側レール部材５３１の取り付けネジを一旦緩め、洗面側レール部材５３１を上下調節し、荷受ローラー８３３が洗面側走行部５３１ａ載置するようにしてから緩めたネジを締めなおし、洗面側レール部材５３１を固定する。
次に、居室側レール部材５３２を取り付ける。この時、スライダー８３の居室側レール部材５３２側の荷受ローラー８３３を、居室側走行部５３２ａに挿入し、居室側レール部材５３２を上下調節し、荷受ローラー８３３を載置させ、居室側レール部材５３２を固定する。
【００３９】
次に、洗面側固定ランマ５１の戸先側に、回転自在に滑車が取り付けられた滑車体９１を取り付け、滑車体９１より戸尻側（吊元側）の所定の位置に、自閉装置９を、洗面側固定ランマ５１にネジ止めする。
そして、ワイヤー固定片９２をスライダー８３の基材８３１ａの戸尻寄りの所定の位置にネジ止めする。
そして、自閉ワイヤー９ｂを引き出し、滑車体９１の滑車の凹溝９１ａに上部から自閉ワイヤー９ｂを掛け、自閉ワイヤー９ｂを滑車に沿って１８０度回し、滑車体９１の下部から戸尻側に引き出し、自閉ワイヤー９ｂの先端をワイヤー固定片９２にネジ止めする。
【００４０】
この状態で、第二扉７の開閉動作に合わせて、スライダー８３は、荷受ローラー８３３が洗面側走行部５３１ａ、居室側走行部５３２ａを走行かつ案内されながら、大開口部２０１の開口幅方向に移動可能となる。
また、この時、スライダー８３の振れ止めローラー８３２は、洗面側振れ止め部５３１ｂ、居室側振れ止め部５３２ｂに回転接触しながら移動するので、第二扉７の振れを抑制することができる。
そして、第二扉７の開閉動作に合わせて、スライダー８３が戸尻側（吊元側）に移動する時、ワイヤー固定片９２に固定された自閉ワイヤー９ｂを引っ張りながら移動する。自閉ワイヤー９ｂには、前述のとおり自閉装置９のぜんまいの付勢力が作用しているから、スライダー８３には常に戸先側に戻る方向に付勢力が働いていることになる。
最後に、点検パネル５００を所定の位置に固定して、第一扉６と第二扉７は取り付けられる。
【００４１】
次に扉（第一扉６と第二扉７）の開閉について説明する。
まず、第一扉６と第二扉７が取り付けられた状態で、第一扉６と第二扉７が直線状に並び大開口部２０１を閉じた（閉塞した）図２の状態となる。
この時、第二扉７の水平ラッチ７４ａと第一扉６の扉ラッチ受６１ｂは係合状態にあり、第一扉６と第二扉７は直線状に並んだ状態が維持され、第一扉６は蝶番６３を軸に回動可能ではあるが、第二扉７の垂直ラッチ７４ｂが、洗面側レール部材５３１の下端部に設けられた係止片５３１ｃに接触し、第二扉７の戸先側の上部で、吊り支持部材８が支持レール体５３で規制されるので、第一扉６が回動方向には動かない。
【００４２】
次に、洗面側から、水平方向に取り付けられている操作具７５を上方に回転させると、水平ラッチ７４ａと垂直ラッチ７５ａが突出状態から退避し（引っ込み）、退避状態となる。水平ラッチ７４ａが退避すると扉ラッチ受６１ｂとの係合状態が解除され、垂直ラッチ７４ｂが退避すると係止片５３１ｃとの係合状態が解除される。
そして、上方に回転させたままで操作具７５洗面側に引くと、第二扉７が吊り支持部材９の回転軸８２ｃを回転軸として第二扉７の戸尻側が洗面側に回動する。
この時、第一扉６と第二扉７は中間蝶番６３ａで連結されているから、第一扉６も吊元枠１側の吊元蝶番６３ｂを回転軸として回動する。第一扉６が回動すると、第二扉７が吊元枠１側に引っ張られるので、第二扉７の吊り支持部材８ととともにスライダー８３が戸尻側に移動する。
そして、スライダー８３と自閉装置９の自閉ワイヤー９ｂが連結されているから、自閉装置９の自閉ワイヤー９ｂが引き出されていく。
【００４３】
そのまま操作具７５を引き続けると、第一扉６と第二扉７が重合状態に近づきと、操作具７５を引く動作から押す動作に変えると第一扉６と第二扉７は重合されてゆき、小開口部１０１を閉じた（閉塞した）状態となる。
小開口部１０１を閉じた状態では、第一扉６と第二扉７は平行に重合し、大開口部２０１を閉じた状態での第二扉７の戸尻側は、戸先側に変化する。
【００４４】
この一連の動きは図３で示しており、図３における矢印Ａは、第二扉７の戸尻側の動きを示し、矢印Ｂは第二扉７の戸先側の軸支部（スライダー８３）の動きを示している。
操作具７５の配置について、例えば、操作具７５が中間蝶番６３ａより水平ラッチ７４ａ寄りに設置されると、小開口部１０１を閉じた状態で操作具７５を引くと、第二扉７が大開口部２０１を閉じる方向への移動と逆の動きに第二扉７を引くことになるので、扉が開閉できない。
したがって、操作具７５は、中間蝶番６３ａと吊元枠１の間に設置するほうがよく、実施例のように、操作具７５を、中間蝶番６３ａに第二扉７を挟み対向した位置に設けると、操作具７５を引く力、操作具７５を押す力が、中間蝶番６３ａに伝わりやすくなり、扉の開閉動作に合うので、開閉操作が容易である。
【００４５】
操作具７５の離すと、第二扉７のスライダー８３が自閉装置９の付勢力によって、大開口戸先枠４に移動するので、前記の大開口部２０１を閉じた状態から小開口部１０１を閉じた状態への第一扉６と第二扉７の動きと逆の動きで、大開口部２０１を閉じた状態に変化していく。
【００４６】
したがって、操作具７５を押し小開口部１０１を閉じた状態で、操作具７５の回転を元の状態の水平方向に戻すことにより、水平ラッチ７４ａと垂直ラッチ７４ｂが退避状態から突出状態に戻り、水平ラッチ７４ａと枠ラッチ受２４、垂直ラッチ７４ｂと垂直ラッチ受３３がそれぞれ係合し、第一扉６と第二扉７は平行に重合した状態を維持できる。
【００４７】
第二扉７は、小開口部１０１の開口幅より幅広に設定され、小開口部１０１を閉じた状態において、第一扉６より大開口部側２０１に位置しているので、小開口部１０１を閉じた状態で、第一扉６が第二扉７の影に隠れたように小開口部１０１の出入り方向における大開口部２０１側に第二扉７一枚が露呈している状態であるから、小開口部１０１を閉じた状態で第二扉７を凹凸の少ない壁面のように使用することができる。
また、小開口部１０１を閉じた状態において、大開口部２０１を閉じた状態における第二扉７の戸先側が、小開口部１０１を閉じた状態において、吊元枠１の大開口部２０１の出入り方向における小開口部１０１側の反対側に突出しないから、小開口部１０１を閉じた状態で、本二開口部対応ドアユニットが設置されている部屋を使用しても、第二扉７の戸先側が邪魔にならず、小開口部１０１を閉じた状態を基本形態として部屋を使用することができる。
【００４８】
垂直ラッチ７４ｂは、小開口部１０１を閉じた状態の第一扉６と第二扉７が平行に重合した状態を維持するために必要なものであり、その理由を説明する。
第二扉７は、小開口部１０１を閉じた状態では、前述のとおり自閉装置９の付勢力によって吊り支持部材８側が大開口戸先枠４側に移動しようとしている。
この状態で、水平ラッチ７４ａと枠ラッチ受２４に係合させると、第二扉７の小開口戸先枠２側のトイレ側と洗面側方向の移動を阻止できるから、第二扉７の回動を止めることができる。したがって、第二扉７は、自閉装置９の付勢力に抗して、小開口部１０１を閉じた状態付近で停止させることができる。
【００４９】
しかしながら、水平ラッチ７４ａと枠ラッチ受２４の係合部には多少のクリアランスが必要であるため、水平ラッチ７４ａと枠ラッチ受２４の係合部を基点として、第二扉７は、クリアランス分だけ多少回動可能である。第二扉７は、吊り支持部材８側が大開口戸先枠４側に移動する付勢力が加わっているから、水平ラッチ７４ａと枠ラッチ受２４の係合部を基点として、第二扉７は若干回動し、これに伴い、第二扉７の中間蝶番６３ａ部は、第一扉６を引き連れて若干洗面側に移動し、吊り支持部材８側が大開口戸先枠４側に若干移動する。この状態で、水平ラッチ７４ａと枠ラッチ受２４は、クリアランス分だけ回動してクリアランスがなくなるので、係合状態となり第二扉７の該回動は止まるが、第二扉７は、小開口部１０１を閉じた状態より若干開いた状態になっている。
したがって、第一扉６と第二扉７は平行に重合せずに、第二扉７が小開口部１０１と平行になっていない。
【００５０】
垂直ラッチ７４ｂは、第二扉７の中間蝶番６３ａの回転軸とほぼ同じ位置となる第二扉７の上面に設置される。
さらに、垂直ラッチ受３３は、垂直ラッチ７４ｂとの係合位置が調節可能とされている。
そのため、垂直ラッチ受３３の位置を調節し、第二扉７が小開口部１０１と平行になる位置で垂直ラッチ受３３と垂直ラッチ７４ｂを係合させることができる。
前記のとおり、第二扉７は若干回動した状態では、水平ラッチ７４ａと枠ラッチ受２４の係合部を基点として、第二扉７の中間蝶番６３ａ部が若干洗面側に移動しているので、第二扉７が小開口部１０１と平行になる位置で垂直ラッチ受３３と垂直ラッチ７４ｂを係合させると、第二扉７の中間蝶番６３ａの位置は、洗面側に移動できないため、第二扉７の回動を阻止することができる。
このように、垂直ラッチ７４ｂは、第二扉７の回動していく軌跡上で垂直ラッチ受３３と係合することによって第二扉７の回動側の動きを直接阻止できるから、第二扉７の回動を止める効果が高い。
【００５１】
そして、小開口部１０１を閉じた状態から扉を開放するには、洗面側から操作具７５を吊元枠１側に回転させるように操作し、水平ラッチ７４ａと枠ラッチ受２４、垂直ラッチ７４ｂと垂直ラッチ受３３の係合状態を解除すると、第二扉７は、自閉装置９の付勢力により、戸先側が大開口戸先枠４側に移動引っ張られるから、大開口部２０１を閉じた状態から開放する作用と逆の作用で扉は大開口部２０１を閉じた状態に自動で変化していく。
【００５２】
尚、本件実施では、自閉装置９は付勢力を調整できるものを採用しており、この場合、付勢力を強くすれば、扉は、小開口部１０１を閉じた状態から大開口部２０１を閉じた状態までを付勢力により自動で行うことができ、付勢力を弱くすれば、小開口部１０１を閉じた状態から大開口部２０１を閉じた状態までの操作を基本的に手動式とし、手動時の操作力を付勢力により軽減させるアシスト機能とすることができる。
このように水平ラッチ７４ａ、垂直ラッチ７４ｂ、操作具７５は、小開口部１０１を閉じた状態と大開口部２０１を閉じた状態でともに利用される。
【００５３】
尚、吊元蝶番６３ｂ、中間蝶番６３ａ、回転軸８１ｃの３つの回転軸によって、扉は開閉可能であるが、吊元蝶番６３ｂは回転動作のみ、中間蝶番６３ａ回転しながら小開口部１０１と大開口部２０１間を移動、回転軸８１ｃは回転しながら大開口部２０１の開口幅方向に摺動するように、それぞれの回転軸が違った動作を行うため、各部材の製作誤差、取り付け誤差により、該３つの回転軸の位置関係が互いに突っ張るような状態となり、スムーズに扉の開閉操作ができないことがある。したがって、スライダー８３のローラー座８３１を支持体８１に対して水平方向に移動可能に取り付けることにより、この水平方向の移動部分によって、このような突っ張りを逃がすことができ、スムーズな扉の開閉操作が可能となる。
【００５４】
本実施例による使い方では、通常、小開口部１０１を閉じた状態で、二開口部対応ドアユニットが使用される。すなわち、小開口部１０１を閉じた状態が第一形態であり、第一形態では、トイレの便器を隠し、居室と洗面所を一体的に使用することができる。
そしてトイレを使用するときには、操作具７５を操作し、大開口部２０１を閉じた状態として、一時的に洗面所とトイレをあわせた洗面トイレとして使用する。すなわち、大開口部２０１を閉じた状態が第二形態である。
【００５５】
第二扉７を、小開口部１０１の開口幅より幅広に設定し、第一扉６と第二扉７の蝶番の連結側をトイレ側（居室側）にすると、第一形態において、第一扉６より洗面側に第二扉７が位置するので、第一形態において、第一扉６が第二扉７の影に隠れたように小開口部１０１の洗面側に第二扉一枚が露呈している状態で凹凸の少ない壁面のように使用することができる。
そして、第二扉７の回転軸８１ｃの位置を、第二形態における第二扉７の戸先側に寄せることにより、第一形態において、第二形態における第二扉７の戸先側が、第一形態において、吊元枠の大開口部２０１の出入り方向における小開口部１０１側の反対側に突出しない。そのため、第一形態の状態で、本二開口部対応ドアユニットが設置されている部屋を使用しても、第二扉の第一形態における戸尻側が居室側に突出しないため邪魔にならず、第一形態を基本形態として部屋を使用するには使い勝手が良い。
【００５６】
前述のように、第一扉６と第二扉７との回動軸部が第二扉７の戸先と戸尻間に設定されているので、小開口部１０１の開口幅に合わせて第二扉７の幅の設定を行い、大開口部２０１を閉じる時の足らず分を第一扉６の開口閉塞体６１の幅設定で調整することができる。
そのため、小開口部と大開口部の幅設定の自由度を増やすことが可能である。
【００５７】
操作具７５は、第二形態における居室側にも取り付けてもよく、操作具７５の操作を固定する施錠装置を設けてもよい。
また、適宜、第二形態の状態から扉を開放する緊急開放機能を設けるとよい。この場合、回転軸部分で上枠ユニットと第二扉を分離できる方法にすると、扉は吊元枠側の蝶番を回転軸として回動させることができる。
当然ながら、自閉装置９と組み合わせて扉の開閉速度を制御するブレーキ装置を採用することもできる。
小開口戸先枠２の袖枠２３の幅によって、トイレスペースと小開口部１０１幅との調整を行っているが、袖枠２３を設けずとも建築側の壁体で調整を行ってもよい。この場合、小開口部戸先基枠２１に枠ラッチ受が設けられる。
本件二開口部対応ドアユニットが設置される小開口部を有する壁と、大開口部を有する壁は、必ず直角に交差しなければならないことはない。
【符号の説明】
【００５８】
１        吊元枠
２        小開口戸先枠
２３      袖枠
２４      枠ラッチ受
３        小開口上枠
３ｃ      小開口上化粧面
３３      垂直ラッチ受
４        大開口戸先枠
５        上枠ユニット
５０      大開口上枠基枠
５１      洗面側固定ランマ
５３      支持レール体
５３１    洗面側レール部材
５３１ｃ  係止片
５３２    居室側レール部材
６        第一扉
６１      開口閉塞体
６１ｂ    扉ラッチ受
６２      支持アーム
６３ａ    中間蝶番
６３ｂ    吊元蝶番
６４      縦支持杆
７        第二扉
７１      四方枠
７１１    戸先縦枠
７１２    戸尻縦枠
７１３    上横枠
７１４    下横枠
７１６    蝶番補強枠
７１６ａ  蝶番固定用螺孔
７２      ペーパーコア
７３      ドアパネル体
７３ａ    点検口
７４ａ    水平ラッチ
７４ｂ    垂直ラッチ
７５      操作具
７５ａ    本体
７５ｂ    作動杆
７６      点検カバー
８        吊り支持部材
８１      支持体
８１ａ    支持部
８１ｂ    取り付け座
８１ｃ    回転軸
８１ｄ    螺軸部
８３      スライダー
８３１    ローラー座
８３１ｃ  回転軸孔
８３２    振れ止めローラー
８３３    荷受ローラー
９        自閉装置
９ｂ      自閉ワイヤー
９１      滑車体
１００    第一壁面
１０１    小開口部
２００    第二壁面
２０１    大開口部
【図１】
2019190012.tif 000003
【図２】
2019190012.tif 000004
【図３】
2019190012.tif 000005
【図４】
2019190012.tif 000006
【図５】
2019190012.tif 000007
【図６】
2019190012.tif 000008
【図７】
2019190012.tif 000009
【図８】
2019190012.tif 000010
【図９】
2019190012.tif 000011
【図１０】
2019190012.tif 000012
【図１１】
2019190012.tif 000013
【図１２】
2019190012.tif 000014